(57)【要約】【課題】  ＣＤやＤＶＤ等の円盤状記録媒体を収容するケースであって、ケースに円盤状記録媒体を収容して蓋体を閉じた状態で害円盤状記録媒体を回転してクリーニングすることが出来る収容ケースの提供。【解決手段】  本体２には凹部４を形成すると共に中央には円盤状記録媒体の中心穴７に嵌るヘソ５を突出して設け、そして凹部底にはクリーナーシート９を貼着し、本体２及び蓋体３の側縁１０，１１には切欠き部１２，１３を形成すると共に蓋体３が閉じた状態で互いに重なり合う同じ位置とし、そして、該切欠き部１２，１３はヘソ５に嵌めて取付けた円盤状記録媒体の外周が突出する大きさとしている。【選択図】    図１
2011118971.tif 000002
【特許請求の範囲】
【請求項１】
ＣＤやＤＶＤ等の円盤状記録媒体を収容するケースであって、本体には継手を介して蓋体を開閉可能に備え、該本体には中央には円盤状記録媒体の中心穴に嵌るヘソを突出して設け、そして本体底にはクリーナーシートを貼着し、本体及び蓋体の側縁には切欠き部を形成すると共に蓋体が閉じた状態で互いに重なり合う同じ位置とし、そして、該切欠き部はヘソに嵌めて取付けた円盤状記録媒体の外周が突出する大きさとしたことを特徴とする円盤状記録媒体の収容ケース。
【請求項２】
ＣＤやＤＶＤ等の円盤状記録媒体を収容するケースであって、本体には継手を介して蓋体を開閉可能に備え、該本体には中央には円盤状記録媒体の中心穴に嵌るヘソを突出して設け、そして本体底にはクリーナーシートを貼着し、本体及び蓋体の寸法を収容される円盤状記録媒体の外径より僅かに小さくし、側縁には円盤状記録媒体の一部外周が突出する切欠き部又は切欠き穴を形成すると共に、該切欠き部又は切欠き穴を蓋体が閉じた状態で互いに重なり合う同じ位置としたことを特徴とする円盤状記録媒体の収容ケース。
【請求項３】
本体には円盤状記録媒体が嵌る浅い凹部を形成し、該凹部底にクリーナーシートを貼着した請求項１、又は請求項２記載の円盤状記録媒体の収容ケース。
【発明の詳細な説明】
【技術分野】
【０００１】
本発明はＤＶＤ，ＣＤ等の円盤状記録媒体を収容すると共にクリーニング機能を備えたケースに関するものである。
【背景技術】
【０００２】
ＤＶＤやＣＤ等の円盤状記録媒体はそのデータ入力面（ディスク面）に埃が付いているとそれが障害となってデータ再生が良好に行なわれない。従って、その埃を除去する必要があるが、テッシュペーパー等を用いて拭くと該ディスク面にキズが付いたり、又、テッシュペーパーの紙粉がディスク面に付着することとなる。
【０００３】
従って、特殊な生地で構成した布製のクリーナーを用いて拭くようにしているが、収容ケースから取り出して１枚づつクリーニングする作業は面倒である。特に、レンタルショップでは返還される多数枚のディスクの埃を一々除去するのに非常に手間がかかる。
【０００４】
特開２００４−３０５６１６号に係る「パイル編地製の拭き布」は、ソフトタッチが要求される部分と擦り付けが可能な部分との拭き取りに対応できる使い勝手の良い拭き布である。
そこで、地組織の表裏両側に単位パイルの群より成るパイル層を形成している拭き布において、表裏パイル層の高さを例えば２倍程度に異ならせる。パイル用糸条は極めて多数本の原糸の束で構成されており、パイル用原糸には繊度が０．０２デニール以下の極細のフィラメントを使用している。高さの高いパイル層は液晶ディスプレイやＣＤ類のホコリ拭きに使用し、高さの低いパイル層は本体やキーボード、ＣＤケースの汚れ取りに使用することが出来る。
【０００５】
特開２００６−２７７９１２号に係る「ディスククリーナー」は、ＣＤやＤＶＤディスクのデータ入力面上の埃等を容易、かつ良好に除去できるようにしている。そこで、クリーナー部分に静電気発生防止加工が施され、そのクリーナー部分がディスクのデータ入力面に接触状態となるようにディスクケース内に装着されている。
【０００６】
このように、ディスクケース内にクリーナーを装着することで、ＣＤやＤＶＤはケースから取外すことなくクリーニングすることが出来、特開２００４−３０５６１６号に係る「パイル編地製の拭き布」のように、ケースから取外してクリーニングする場合に比較して便利である。
【０００７】
すなわち、ディスクケース内で表面を指で軽く押さえる等してディスクを回転させることで、回転移動するデータ入力面の埃等がクリーナー部分により拭き取られる。その回転の際のディスクとクリーナー部分との接触による静電気の発生がクリーナー部分に静電気発生防止加工が施されていることで防止され、これによりディスク面への静電気発生による埃の付着も回避される。
【０００８】
しかし、ディスクを回転するにはケースの蓋体を開かなくてはならず、特にレンタルシップでは返還されてくる多数枚のディスクの埃取り作業は容易でない。
【特許文献１】特開２００４−３０５６１６号に係る「パイル編地製の拭き布」
【特許文献２】特開２００６−２７７９１２号に係る「ディスククリーナー」
【発明の開示】
【発明が解決しようとする課題】
【０００９】
このように、ＤＶＤやＣＤ等の円盤状記録媒体は、その表面に僅かなゴミやチリが付着していることが嫌われる。しかし、再生装置のターンテーブルに装着するに際して表面を一々クリーニングするのは面倒である。本発明が解決しようとする課題はこの問題点であり、ケースに収容した状態で何時でもクリーニングすることが出来る円盤状記録媒体の収容ケースを提供する。ここで、収容ケースは円盤状記録媒体の販売用である場合、又はレンタル用である場合の何れも対象とする。
【課題を解決するための手段】
【００１０】
本発明に係る円盤状記録媒体の収容ケースは本体と蓋体で構成し、蓋体は継手を介して開閉することが出来るように本体に取付けられている。そして、本体の中央には円盤状記録媒体の中心穴に嵌って該円盤状記録媒体を取付けるヘソを突出している。ここで、該ヘソの形態は色々あり、着脱し易くて安定した装着が可能なように工夫されたものが色々知られているが、本発明では具体的なヘソの形態や構造を限定しないことにする。
【００１１】
そして、本体の底面にはクリーナーが貼着され、ヘソに取付けた円盤状記録媒体の表面（ディスク面）は該クリーナーに接することが出来るように所定の厚さを有している。ここで、該クリーナーの具体的な材質及び形状は問わないことにする。ところで、本発明の収容ケースは蓋体を閉じた状態で収容している円盤状記録媒体が回転することが出来るように、本体及び蓋体の側縁を一部切欠いて切欠き部を形成している。
【発明の効果】
【００１２】
本発明に係る円盤状記録媒体の収容ケースは本体の底面にクリーナーが貼着され、その為にヘソに円盤状記録媒体を取付けるならば、表面がクリーナーに接することが出来る。この状態で円盤状記録媒体を回転させることで表面をクリーニングすることが出来るが、本発明の収容ケースの側縁には切欠き部を形成していることから、蓋を閉じた状態で切欠き部から露出する円盤状記録媒体の外周を回転することが出来る。
【００１３】
すなわち、蓋を開くことなく円盤状記録媒体を回転してクリーニングすることが出来るために極めて便利である。一方、収容ケースの寸法を収容される円盤状記録媒体の外径より僅かに小さくして該円盤状記録媒体の外周をケース側縁の切欠き穴から突出するようにすることで、切欠き部に指を当てて回転することなく、平坦なテーブル面に沿って収容ケースを滑らせるならば、外周がテーブル面に当ってヘソを中心として円盤状記録媒体は回転する。従って、複数枚の収容ケースをまとめてテーブル面を滑らして効率よくクリーニングすることが可能と成る。
【図面の簡単な説明】
【００１４】
【図１】ＤＶＤを取付ける前で蓋体が開いた状態の収容ケース。
【図２】ＤＶＤを取付けて蓋体が開いている状態の収容ケース。
【図３】蓋体が閉じた状態の収容ケース。
【図４】ＤＶＤ外周と切欠き部の位置関係。
【図５】ＤＶＤ外周と側縁の位置関係。
【発明を実施するための形態】
【００１５】
図１は本発明に係る円盤状記録媒体が収容される収容ケース１を示す実施例であり、同図の２は本体、３は蓋体を表している。そして本体２には円形の浅い凹部４が形成され、該凹部４の中心にはヘソ５が突出している。そこで、同図に示すＤＶＤ６はその中心穴７がヘソ５に嵌ることで、該ＤＶＤ６は凹部４に取付けられる。
【００１６】
ここで、ヘソ５に関しては凹部４に嵌って取付けられるＤＶＤ６が安定し、又取付け・取外しが容易である為に色々な形態や構造が従来から知られているが、本発明では該ヘソ５の形態や構造は問わないことにする。そして、本体２及び蓋体３は一般的には樹脂を用いて成形され、蓋体３は継手８を介して開閉することが出来る構造と成っている。
【００１７】
これらの点は、従来のＣＤやＤＶＤの収容ケースと同じであるが、本発明では凹部４の底にクリーナーシート９が貼着されている。ここで、該クリーナーシート９の具体的な材質は特に限定せず、例えば、上記特開２００４−３０５６１６号に係る「パイル編地製の拭き布」を使用することも出来る。ただし、裏面にパイル層を形成する必要はない。ここで、本体２には必ずしも凹部４を設けることなく本体２の底にクリーナーシート９を貼着し、中央にはヘソ５を突出した形態とする場合もある。
【００１８】
そして、該クリーナーシート９は凹部４の底に貼着されるが、例えば両面テー部にて固定したり、又は接着剤にて固着することも可能である。又、同図に示しているクリーナーシート９は概略長方形としているが、凹部４の底全体を被覆する円形のクリーナーシート９を貼着したり、概略十字状のクリーナーシート９とする場合も可能である。
【００１９】
一方、本発明の収容ケース１では、本体２及び蓋体３の側縁１０，１０，１１，１１は切欠かれて、切欠き部１２，１２，１３，１３を形成している。ところで、該切欠き部１２，１２，１３，１３の大きさはヘソ５に嵌って凹部４に取付けられたＤＶＤ６の外周１４が突出する程度の大きさと成っている。すなわち、切欠き部１２に指を入れるとＤＶＤ６の外周１４に接することが出来る大きさが必要である。
【００２０】
図２は上記ヘソ５にＤＶＤ６を取付けた場合を示しているように、該ＤＶＤ６は本体２に形成した凹部４に嵌っている。このように、本体２の凹部４に嵌って取付けられたＤＶＤ６の外周１４は切欠き部１２，１２の底から僅かに突出している。そして、蓋体３の側縁１１，１１に形成している切欠き部１３，１３は蓋体３を閉じた状態では本体２の切欠き部１２，１２と重なる位置に、しかも同じ大きさで形成されている。
【００２１】
図３は蓋体３が閉じた状態の収容ケース１を示している。このように、該蓋体３が閉じた状態では、本体２の側縁１０，１０に形成している切欠き部１２，１２と蓋体３の側縁１１，１１に形成している切欠き部１３，１３は重なり合い、しかも、これら切欠き部１２，１３からＤＶＤ６の外周１４が僅かに突出している。
【００２２】
ところで、この切欠き部１２，１３に指を入れるならばＤＶＤ６の外周１４に当り、この指にてＤＶＤ６をヘソ５を中心として回転することが出来る。ＤＶＤ６が回転するならば、凹部４の底に貼着したクリーナーシート９に接している表面（ディスク面）が擦れて付着している汚れや埃が除去される。すなわち、側縁１０，１１に切欠き部１２，１３を形成したことで、蓋体３を開くことなくＤＶＤ６を回転してクリーニングすることが可能と成る。
【００２３】
ここで、ＤＶＤ６を回転する手段としては、指ではなく専用の回転ローラを使用することも可能である。切欠き部１２，１３に外周の一部が嵌って回転するローラを外周１４に接触するならば、ＤＶＤ６はヘソ５を中心としてローラと共に回転することが出来る。図４は切欠き部１２，１３とＤＶＤ６の外周１４との位置関係を示している具体例である。
【００２４】
上記実施例では本体２の側縁１０に切欠き部１２を形成し、又蓋体３の側縁１１に切欠き部１３を形成した場合であるが、本体２と蓋体３の形状を小さくして収容したＤＶＤ６の外周１４が側縁１０，１１から僅かに突出するように構成することも可能である。図５はこの場合の具体例を示しているように、対向する両側縁１０，１０、及び１１，１１間の距離はＤＶＤ６の外径より僅かに小さく成っている。
【００２５】
ＤＶＤ６の外周１４が大きく突出したのでは、該外周１４がキズ付くことから、１ｍｍ以内であればよい。このように収容ケース１のサイズを小さくすることで側縁１０，１１から外周１４が僅かに突出することで、収容ケース１を平坦なテーブル面に沿って滑らせるならば、収容しているＤＶＤ６はヘソ５を中心として回転することが出来る。図５には側縁１０，１１に切欠き部１２，１３を形成しているが、ＤＶＤ６の外周１４が突出する為の切欠き穴を形成するだけでもよい。
【符号の説明】
【００２６】
１  収容ケース
２  本体
３  蓋体
４  凹部
５  ヘソ
６  ＤＶＤ
７  中心穴
８  継手
９  クリーナーシート
10  側縁
11  側縁
12  切欠き部
13  切欠き部
14  外周
【図１】
2011118971.tif 000003
【図２】
2011118971.tif 000004
【図３】
2011118971.tif 000005
【図４】
2011118971.tif 000006
【図５】
2011118971.tif 000007